(57)【要約】【課題】本発明は、内面に親水化処理を施された筐体を、一面が開放されるように、家電品収納スペースに配置することにより、蒸気排出ユニットやファン、排気ダクト等の電装部品を使用しなくても、低コストで、家電品から発生した蒸気が、家電品収納スペース内に直接当たったり、結露したりして、家電品収納キャビネットを構成する部材の寿命を短くしたりすることを抑制可能なキャビネットを提供することを目的とする。【解決手段】本発明は、キャビネットの家電品収納スペースに、この家電収納スペースの前方開口部に対応する開口部を有する筐体を設け、この筐体の内面が親水化処理され、この筐体の少なくとも天井部が勾配を有するキャビネットである。また、上記において、筐体の天井部が奥側に向けて下り勾配を有し、この下り勾配の断面が弧状であるキャビネットである。【選択図】図３
2009005819.tif 000002
【特許請求の範囲】
【請求項１】
キャビネットの家電品収納スペースに、この家電収納スペースの前方開口部に対応する開口部を有する筐体を設け、
この筐体の内面が親水化処理され、
この筐体の少なくとも天井部が勾配を有するキャビネット。
【請求項２】
請求項１において、
筐体の天井部が奥側に向けて下り勾配を有し、
この下り勾配の断面が弧状であるキャビネット。
【請求項３】
請求項１又は２において、
筐体の内面に複数の溝を形成し、
この溝の方向が、勾配方向であるキャビネット。
【請求項４】
請求項１〜３において、
親水化処理が、ポリシラザンであるキャビネット。
【請求項５】
請求項１〜４において、
筐体の下面又は側面に、水受けを設けたキャビネット。
【請求項６】
請求項１〜５において、
筐体の下面に、その８０％以上の面積の底面を有する水受けを設けたキャビネット。
【請求項７】
請求項１〜６において、
筐体が金属又は耐熱性ＦＲＰであるキャビネット。
【発明の詳細な説明】
【技術分野】
【０００１】
本発明は、キッチンに使用する家電品を収納するキャビネットに関し、特には、その家電品から発生する蒸気を回収する蒸気回収板の付いた家電品収納用のキャビネットに関する。
【背景技術】
【０００２】
キッチン用の家電品収納キャビネットには、一般に、炊飯器や電気ポット等が収納される。このキャビネットの家電品収納スペースには、図６に示すように、蒸気排出ユニット２０等が備え付けられている。この蒸気排出ユニット２０は、炊飯器５や電気ポット４等の家電品をキャビネット１の家電品収納スペース６内に収納した状態で使用した際に、家電品収納スペース６内に、蒸気がこもって結露等をすることを防ぐために用いられる。
【０００３】
このような蒸気排出ユニットを用いた家電品収納キャビネットとしては、家電品収納スペースの上部に蒸気排出ユニットを備え、この蒸気排出ユニットが、発生した蒸気を吸い込んで水分と空気にわけ、水分は水受けタンクで受け、空気は室内中に拡散して蒸気を処理するもの（特許文献１）、家電品収納スペースの上部に排気捕集用の天板を有し、その天板から上方室へ連通した排気経路を立ち上げ、送風装置により上方室天井部近傍から捕集した排気を排出するもの（特許文献２）、家電品収納スペースの後方に個別ファンを有し、そのさらに後方に上方室へ連通した排気ダクトを有し、排気ダクトの上方に集中ファンを有し、家電品使用時に個別ファン及び集中ファンを駆動させて、家電品収納スペース内の蒸気を排出するもの（特許文献３）がある。
【０００４】
しかしながら、特許文献１〜３の家電品収納キャビネットでは、家電品で発生する蒸気を排出するための排気ファンや排気ダクト等の複雑な構成を備える必要があり、その分、部品点数が多いばかりか、組立工数がかかる難点があった。また、このため、コストがかかる問題があり、コストを抑えた商品に対しては適用が困難であった。
【０００５】
そこで、蒸気排出ユニットを用いない家電品収納キャビネットとして、家電品収納スペースの天板部分に、下方からの蒸気を受ける傾斜角を備えた蒸気受けと、その下端部に結露受けを配設し、発生した蒸気を蒸気受けで結露させ、結露水を結露受けで捕集するもの（特許文献４）が知られている。
【特許文献１】特開２００４−３２９４７６号公報
【特許文献２】特開２００３−９９６４号公報
【特許文献３】特開２００２−３３０８３４号公報
【特許文献４】特開２００５−１１８３４５号公報
【発明の開示】
【発明が解決しようとする課題】
【０００６】
しかしながら、電気ポットで水から湯を沸き上げる場合や、炊飯器でごはんを炊き上げる場合には、相当量の蒸気が発生するため、この蒸気は、家電品収納スペースに充満し、天井部分ばかりでなく、側面や背面にも直接当たることになる。さらに、側面や背面に当たった蒸気が結露し、水滴となって残留することになる。このため、家電品収納スペースの天井部分に蒸気受けを設けても、家電品収納キャビネットの部材の劣化を抑制することは困難であった。
【０００７】
本発明は、このような課題を解決するためになされたものであり、キャビネットの家電品収納スペースに、この家電収納スペースの前方開口部に対応する開口部を有する筐体を設けることにより、蒸気排出ユニットやファン、排気ダクト等の電装部品を使用しなくても、低コストで、家電品から発生した蒸気が、家電品収納スペース内に直接当たったり、結露したりして、家電品収納キャビネットを構成する部材の寿命を短くしたりすることを抑制可能なキャビネットを提供することを目的とする。
【課題を解決するための手段】
【０００８】
本発明は、以下のものに関する。
（１）  キャビネットの家電品収納スペースに、この家電収納スペースの前方開口部に対応する開口部を有する筐体を設け、この筐体の内面が親水化処理され、この筐体の少なくとも天井部が勾配を有するキャビネット。
（２）  （１）において、筐体の天井部が奥側に向けて下り勾配を有し、この下り勾配の断面が弧状であるキャビネット。
（３）  （１）又は（２）において、筐体の内面に複数の溝を形成し、この溝の方向が、勾配方向であるキャビネット。
（４）  （１）〜（３）において、親水化処理が、ポリシラザンであるキャビネット。
（５）  （１）〜（４）において、筐体の下面又は側面に、水受けを設けたキャビネット。
（６）  （１）〜（５）において、筐体の下面に、その８０％以上の面積の底面を有する水受けを設けたキャビネット。
（７）  （１）〜（６）において、筐体が金属又は耐熱性ＦＲＰであるキャビネット。
【発明の効果】
【０００９】
本発明によれば、蒸気排出ユニットやファン、排気ダクト等の電装部品を使用しなくても、低コストで、家電品から発生した蒸気が、家電品収納スペース内に直接当たったり、結露したりして、家電品収納キャビネットを構成する部材の寿命を短くしたりすることを抑制可能なキャビネットを提供することができる。
【発明を実施するための最良の形態】
【００１０】
本発明に使用するキャビネット１は、家電品収納スペース６の前方に前方開口部３を有するものであればよく、特に制限はない。例えば、図１に示すように、家電品収納キャビネット１で、上下２室に区画された収納部１１を有し、その上側の収納部１１が家電品収納スペース６になっており、電気ポット４や炊飯器５を収納するための棚２を備えたものが挙げられる。
【００１１】
棚２は、その上に電気ポット４や炊飯器５を載せて収納するものであり、一例としては、キャビネット１の前後方向に可動式となっており、電気ポット４や炊飯器５等の家電品を載せたまま、キャビネット１の前方側に引き出したり、キャビネット１の内部に収納したりできるようになっているものを使用できる。
【００１２】
筐体７は、例えば、図２、図３に示すように、キャビネット１の家電収納スペース６に設置されて、家電品から発生する蒸気９が、家電収納スペース６の天井面１７、側面１４、背面１５に、直接当たらないようにするものである。
【００１３】
筐体７は、キャビネット１に設置された際に、キャビネット１の前方側の一面が開放されるように構成される。つまり、筐体７は、キャビネットの家電品収納スペース６に設けられるが、筐体７がこの家電品収納スペース６の前方開口部３に対応する開口部１８を有する。例えば、図２、図３に示すように、キャビネット１の家電収納スペース６の側面１４を覆う側面部１２、及び、背面１５を覆う背面部１３、天井面１７を覆う天井部１６を備えるものが使用できる。筐体７の側面部１２、及び、背面部１３、天井部１６は、それぞれ別部材として準備し、溶接やろう付け、接着、嵌合、ねじ止め等によって、一体化したものでもよいが、気密性と水密性を確保するため、一体成形されたものであることが好ましい。家電品から発生する蒸気９は、家電収納スペース６の天井面１７のみならず、側面１４や背面１５にも回り込み、天井面１７、側面１４、背面１５の全てに蒸気９が直接当たることになる。しかしながら、このように、筐体７が、キャビネット１の家電収納スペース６の側面１４を覆う側面部１２、及び、背面１５を覆う背面部１３、天井面１７を覆う天井部１６を備えることで、筐体７をキャビネット１の家電収納スペース６に設置した場合に、家電品から発生する蒸気が、キャネット１の家電収納スペース６の側面１４、背面１５、天井面１７の何れにも、直接当たるのを防ぐことができる。この結果、家電品から発生する蒸気９によって、家電収納スペースの側面１４、背面１５、天井面１７等のキャビネット１を構成する部材の寿命が短くなるのを抑制することができる。また、筐体７がこの家電品収納スペース６の前方開口部３に対応する開口部１８を有するので、この開口部１８から、捕集しきれなかった蒸気を室内側に排出することができ、家電品収納スペース６内の蒸気が過剰にならないようにすることができる。また、筐体７の側面部１２の下部、または、背面部１３の下部には、コンセント（図示しない。）を設けるための開口（図示しない。）を設けてもよい。この場合は、筐体７の側面部１２の上部、または、背面部１３の上部から垂れてきた水滴がコンセントにかからないようにするため、コンセントを設けるための開口の上部に、例えば、筐体７の開口の端部を家電品収納スペース６側に折り曲げ、その先端が上向きとする等により、樋となる庇（図示しない。）を設けるようにするのが望ましい。
【００１４】
筐体７は、気密性、水密性、成形性の点から、金属製、樹脂製、これらの複合体を使用することができる。樹脂製の筐体７としては、いわゆる耐熱性ＦＲＰを使用することができる。また、金属製の筐体７としては、ステンレスを一体成形したものを使用することができる。これらの複合体としては、金属に樹脂をコーティングしたものを使用することができる。特に、ステンレスを一体成形したものは、気密性、水密性、耐熱性、耐食性に加え、熱伝導性がよいので、家電品から発生した蒸気の熱を放熱する効果が高く、より結露し易くする作用によって、より多くの蒸気を回収することができるので、家電収納スペース６の前方開口部３から室内側に排出される蒸気をその分低減できるため、室内側の湿気を抑制できる点で好ましい。
【００１５】
また、家電品から発生する蒸気９は、高温であるため、この蒸気９が直接当たる筐体７も高温となり、次第に蒸気９が結露し難くなり、家電品収納スペース６から室内側に排出される蒸気９が増えることとなるが、筐体７は、キャビネット１の家電収納スペース６の側面１４を覆う側面部１２、及び、背面１５を覆う背面部１３、天井面１７を覆う天井部１６を備え、比較的面積が大きいものであるため、放熱フィンとしても作用する。このため、ステンレスを一体成形したものを使用した場合は、特に、家電品から発生した蒸気の熱を放熱する効果が高くなり、より多くの蒸気を回収することができる。このため、室内側の湿気が多くなって環境を悪化させるのを抑制することができる。
【００１６】
金属製、樹脂製、これらの複合体によって形成された筐体７の内面、即ち、天井部１６、側面部１２、背面部１３には、親水化処理を施す。この親水化処理は、筐体７の内面に、親水性塗膜を形成することで行われる。親水性塗膜は、有機塗料、無機塗料の何れかを問わないが、例えば、無機塗料としては、Ａｌ２Ｏ３（アルミナ）、ＳｉＯ２（シリカ）、ＭｇＯ（マグネシア）等を主成分とする無機化成物を銅、亜鉛、銀等からなる金属化合物でバインドした組成のもの〔例えば、株式会社伸晃製（商品名：ベラスコート）〕を１８０〜２２０℃の温度で焼き付けて形成したガラス質のセラミック塗膜とし、その厚さを１８〜２０μｍ程度、硬度を９Ｈ（鉛筆硬度試験）以上とすることが、塗膜の強度や親水性を発現する上で望ましい。これにより、筐体７の内面、即ち、天井部１６、側面部１２、背面部１３に形成した親水性塗膜は、水への馴染みが良いために、家電品から発生した蒸気が筐体７の内面で結露し、水滴となった場合でも、筐体７の内面ではじかれて落下するのを抑制することができ、家電品や棚２が、落下した水滴で濡れるのを抑制することができる。さらに、使用等により、親水性塗膜に汚染物質が付着した場合でも、親水性塗膜の間に浸透した水が汚染物質を徐々に浮上させて剥離させるように作用し、筐体７の内面の水洗いも容易になる。更に、この親水性塗膜の表面は微量の水が吸着し、放電効果によって汚染物質の静電付着を抑制する。
【００１７】
親水化処理は、特に、筐体７の内面との密着性や塗膜強度、親水性、耐汚染性等の点から、ポリシラザンを用いたシリカ膜被覆とするのが望ましい。ポリシラザンは、従来から知られているポリシラザンが使用できるが、好ましくは、化１に示す一般式の繰り返し単位を有する、ポリスチレンを標準とするゲルパーミエーションクロマトグラフィー（ＧＰＣ）による測定の数平均分子量が１００〜５００００の環状ポリシラザン、鎖状ポリシラザン、またはこれらの混合物を使用する。
【００１８】
【化１】
2009005819.tif 000003
【００１９】
筐体７は、例えば、図２に示すように、水平面に置いた際に、キュビネット１の前方開口部３に対応する位置に開口部１８を有し、図３に示すように、その上面である天井部１６が、開口部１８からその奥側の背面部１３にかけて、下り勾配を有するように形成される。また、この下り勾配は、断面が弧状になるように形成されるのが好ましい。これにより、筐体７に当たって結露した蒸気は、筐体７の内面を、天井部１６から背面部１３に向かって円滑に流れ落ちることができ、途中で落下して、家電品や棚２に水滴がかかるのを抑制することができる。
【００２０】
筐体７は、例えば、図５に示すように、内面、即ち、天井部１６、側面部１２、背面部１３のうち、少なくとも、天井部１６から背面部１３にかけ、下り勾配に沿って、複数の溝１９を設けるのが望ましい。この溝１９により、家電品から発生した蒸気９が、筐体７の内面で結露し水滴１０となった場合は、溝１９の毛管作用により、水滴１０が溝１９の中に引き込まれ、溝１９に沿って広がり、下り勾配に沿って流れ易くなるため、水滴１０がそのまま落下して家電品や棚２を濡らすのを抑制することができ、蒸気を効率よく回収し、より短時間で水受け８に集めることができる。この溝１９は、溝幅が０．３ｍｍ以上３．０ｍｍ以下、溝深さが０．３ｍｍ以上１．６ｍｍ以下であることが、結露で生じた水滴を溝の中に引き込み、下り勾配に沿って流れ易くする点で望ましい。また、溝の断面形状は、略Ｕ次形、または、略Ｖ次形であることが、清掃のし易さを考慮すると望ましい。溝１９の中央と中央の間隔（ピッチ）は、小さいほど、筐体７の表面積を増大させたり、結露で生じた水滴を溝の中に引き込む効果が高まるので望ましく、溝幅と同程度から５倍程度とするのが望ましい。また、溝１９は、側面部１２にも設けてもよい。この場合は、側面部１２に付着した水滴１０を、溝１９に沿って流れ落ち易くすることができる。また、これらの溝１９は、後述する水受け８に、水滴１０を導き易くする作用も有する。さらに、筐体７の内面に複数の溝１９を設けることにより、筐体７の表面積を増加させる作用により、家電品から発生した蒸気の熱を放熱する効果が高くなり、結露し易くなって、より多くの蒸気を回収することができる。このため、室内側の湿気が多くなって環境を悪化させるのを抑制することができる。
【００２１】
筐体７の家電収納スペース６への取り付けは、図３に示すように、家電品収納スペース６の天井面１７、側面１４、背面１５の何れか、又は、これらのいくつかに固定することにより行う。上述したように、棚２はキャビネット１の前後方向に可動式となっているため、筐体７と棚２とは、独立に、家電品収納スペース６に取り付けられる。筐体７の背面部１３及び側面部１２の下端は、何れも、棚２の下側に設置される水受け８まで達するようにする。つまり、家電品収納スペース６の側面１４及び背面１５と、棚２との間には隙間２１を設けておき、筐体７の背面部１３及び側面部１２の下端は、この隙間２１を通して、水受け８まで到達するように設置される。これにより、家電品で発生し、筐体７に当たって結露した水滴は、筐体７の天井部１６から背面部１３にかけて設けられた下り勾配、及び、側面部１２を伝わって流れ落ち、水受け８に到達することができる。この結果、水受け８に、結露した水滴を溜めることができる。
【００２２】
水受け８は、筐体７を伝わり、流れ落ちてきた水滴１０を受けて溜める容器であり、筐体７の下面、即ち、筐体７の上方から下方に向けた垂直投影面に対応する位置、又は、筐体７の側面部１２や背面部１３の下端に対応する位置に設けるのが望ましい。
【００２３】
前者の場合、一例として、図４に示すように、上面（底面２２に対向する面）に開口を有する薄い箱状の形状のものが使用できる。図３に示すように、水受け８は、棚２の下部に備え付けられ、家電品収納スペース６内で家電品から発生し、筐体７に付着して結露した水滴が溜められる。この水受け８は、その底面２２が筐体７の下面（筐体７の上方から下方に向けた垂直投影面）の面積の８０％以上の面積を有するのが望ましい。これにより、水受け８に溜まった水滴が広範囲に広がり易くなるため、水滴１０を乾燥し易くすることができる。そのため、都度取り外して溜まった水滴を廃棄するという手間を抑制することができる。
【実施例】
【００２４】
図１及び３は、本発明に係るキャビネット１の実施例１であり、前方開口部３内に筐体７を備えるキャビネット１の斜視図を示す。
【００２５】
筐体７は、図２に示すように、キャビネット１に設置された際、キャビネット１の前方側の一面が開放されるように、キャビネット１の前方側に、開口部１８を有し、その上面がキャビネット１の前方開口部３から奥側に向けて下り勾配を有し、この下り勾配の断面が弧状になっているものを用いた。
【００２６】
図３に示すように、筐体７は、家電品収納スペース６内に備え付けた。この筐体７が家電品収納スペース６内を覆うことにより、この家電品収納スペース６内に、蒸気を発生させる家電品を配置して使用した場合でも、筐体７により蒸気が家電品収納スペース６内に当たることを防止することができた。この筐体７の内面、即ち、天井部１６、側面部１２、背面部１３に、ポリシラザン塗膜による親水化処理を施すことにより、蒸気を受けてできた結露水がはじかれてそのまま滴下することなく、筐体７の内面に保持させておくことができるので、筐体７の内面から家電品や棚２上に水滴を落とすことなく結露によって生じた水滴を回収できた。
【００２７】
図４に示すように、水受け８には、上面（底面２２に対向する面）に開口を有する薄い箱状の形状のものを用いた。
【００２８】
図３に示すように、水受け８は、棚２の下部に備え付けた。この水受け８は、家電品収納スペース６内で家電品から発生した蒸気が筐体７に付着して結露した水滴を集める。この水受け８には、筐体７の下面（筐体７の上方から下方に向けた垂直投影面）の面積の８０％以上の面積を有するものを用いた。これにより、蒸気が集まってできた結露水を広範囲に広げることで、自然乾燥により結露水を拡散させることができた。そのため、都度取り外して結露水を廃棄するという手間を省くことができた。
【００２９】
図５は、本発明に係るキャビネット１の実施例２に使用した筐体７である。図５に示すように、天井部１６から背面部１３にかけて複数の溝１９を有する筐体７を使用することにより、蒸気を効率よく回収し、より短時間で水受け８に集めることができた。
【図面の簡単な説明】
【００３０】
【図１】実施例のキャビネットの斜視図である。
【図２】実施例に使用した筐体の斜視図である。
【図３】実施例のキャビネットの筐体及び水受けを取り付けた断面図である。
【図４】実施例に使用した水受けの斜視図である。
【図５】実施例に使用した筐体を上下反転させた斜視図である。
【図６】従来の家電品収納キャビネットの斜視図である。
【符号の説明】
【００３１】
１…キャビネット、２…棚、３…前方開口部、４…電気ポット、５…炊飯器、６…家電品収納スペース、７…筐体、８…水受け、９…蒸気、１０…水滴、１１…収納部、１２…側面部、１３…背面部、１４…側面、１５…背面、１６…天井部、１７…天井面、１８…開口部、１９…溝、２０…蒸気排出ユニット、２１…隙間、２２…底面
【図１】
2009005819.tif 000004
【図２】
2009005819.tif 000005
【図３】
2009005819.tif 000006
【図４】
2009005819.tif 000007
【図５】
2009005819.tif 000008
【図６】
2009005819.tif 000009